(57)【要約】【課題】リターン側ベルトの含水率の高い付着残渣物を回収できる回収装置を提供する。【解決手段】ベルトコンベヤＡに於けるリターンベルト１の表面付着物を除去するクリーニング手段Ｂを設け、付着物の残渣物を荷受けする主回収コンベヤＣを設け、主回収コンベヤＣのキャリヤベルトの中間部及びヘッド側水平部にキャリヤ側が主回収コンベヤＣのキャリヤ側に重なってベルトコンベヤＡに残渣物を払い出す副回収コンベヤＤを設け、主回収コンベヤＣ及び副回収コンベヤＤの残渣物挟持キャリヤ側裏面のベルト走行方向点在位置に前記キャリヤ側ベルトを押圧しつつ同方向に回転移動するような円周上点在的な配置の加圧体Ｅを設けた構成を採用する。【選択図】図１
2018144966.tif 000002
【特許請求の範囲】
【請求項１】
ベルトコンベヤに於けるヘッドプーリにより反転したリターンベルトの表面付着物を除去するクリーニング手段を設けると共に、この除去した付着物の残渣物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに残渣物を戻すヘッド側水平部を有する主回収コンベヤを設け、また、この主回収コンベヤのキャリヤベルトの中間部及び上記ヘッド側水平部にキャリヤ側が上記主回収コンベヤのキャリヤ側に重なって上記ベルトコンベヤに残渣物を払い出す副回収コンベヤを設け、さらに、上記主回収コンベヤ及び副回収コンベヤの残渣物挟持キャリヤ側裏面のベルト走行方向点在位置に前記キャリヤ側ベルトを押圧しつつ同方向に回転移動するような円周上点在的な配置の加圧体を設けたことを特徴とする含水率の高い残渣物の回収装置。
【請求項２】
ベルトコンベヤに於けるヘッドプーリにより反転したリターンベルトの表面付着物を除去するクリーニング手段を設けると共に、この除去した付着物の残渣物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに残渣物を戻すヘッド側水平部を有する主回収コンベヤを設け、また、この主回収コンベヤのキャリヤベルトの中間部及び上記ヘッド側水平部にキャリヤ側が上記主回収コンベヤのキャリヤ側に重なって上記ベルトコンベヤに残渣物を払い出す副回収コンベヤを設け、さらに、上記主回収コンベヤと副回収コンベヤの少なくとも片方の残渣物挟持キャリヤ側ベルトの裏面側高所と低所との間で上記キャリヤ側裏面側が上方に走行するドライブ機能付きの無端状の並列二条の走行体を設け、この走行体の全長点在位置に上記リターン側ベルトの挟持力の付与押圧加圧体を設けたことを特徴とする含水率の高い残渣物の回収装置。
【発明の詳細な説明】
【技術分野】
【０００１】
この発明は、ベルトコンベヤのリターン側ベルトから落下する含水率の高い残渣物を良好に回収するようにした回収装置に関する。
【背景技術】
【０００２】
既知のように、搬送物を搭載したベルトコンベヤのキャリヤ側ベルトは、ヘッドプーリにより反転してリターン側ベルトになる。
【０００３】
すると、キャリヤ側ベルトの表面（上側）に付着した残渣物が、リターン側では、表面が下側になるので、付着残渣物がリターン側ベルトの走行路に落ち、落下にともない上記走行路に堆積する。
【０００４】
この堆積した落下物は、運転の経過にともない増加するので、人手などにより堆積物の除去作業が必要になる。
【０００５】
そこで、リターン側ベルトの付着物を残渣物として回収するようにした方式が既に知られている（例えば、特許文献１参照）。
【先行技術文献】
【特許文献】
【０００６】
【特許文献１】実用新案登録第３１９５６５３号公報
【発明の概要】
【発明が解決しようとする課題】
【０００７】
ところで、コンベヤ設備では、屋外設備の雨天時、あるいは飛散拡大防止上、搬送物に直接、間接的に搬送物に散水されることが多く、その結果、搬送物の含水率が非常に多くなる場合が多々ある。
【０００８】
するとリターン側ベルトの表面に対する付着物の付着量が多くなって、リターン側ベルトの走行路に対する堆積物の堆積量が増加する。
【０００９】
リターン側ベルトに付着した付着物でも立派な原料であり、リターン側ベルトの走行路に堆積する残渣物でも立派な原料である。
【００１０】
そこで、特許文献１の方式を採用して付着による残渣物を効率よくキャリヤ側ベルト上に戻すようにしているが、前述の含水率の多い残渣物を、主回収コンベヤを副回収コンベヤとの並行する両ベルトで挟持しながら上送する際、両ベルトによる挟持圧がベルトの全長にわたって一定でない。
【００１１】
すなわち、挟圧を必要とする（上送の範囲）部分に並列ローラを点在的に配置する関係上、ローラの配置部分とローラの配置されていない部分とで全長にわたって挟圧が一定でない。
【００１２】
このため、上述の含水率の高い残渣物には、流動性が著しく高くなるので、上送の際流下することになる。
この流下にともない安定よく（能率よく）上送されない問題があった。
【００１３】
そこで、この発明は、含水率の高い残渣物であっても極めて安定よく挟圧しながら上送するようにして、含水率の高い残渣物を回収するようにしたことにある。
【課題を解決するための手段】
【００１４】
上記の課題を解決するために、この発明は、ベルトコンベヤに於けるヘッドプーリにより反転したリターンベルトの表面付着物を除去するクリーニング手段を設けると共に、この除去した付着物の残渣物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに残渣物を戻すヘッド側水平部を有する主回収コンベヤを設け、また、この主回収コンベヤのキャリヤベルトの中間部及び上記ヘッド側水平部にキャリヤ側が上記主回収コンベヤのキャリヤ側に重なって上記ベルトコンベヤに残渣物を払い出す副回収コンベヤを設け、さらに、上記主回収コンベヤ及び副回収コンベヤの残渣物挟持キャリヤ側裏面のベルト走行方向点在位置に前記キャリヤ側ベルトを押圧しつつ同方向に回転移動するような円周上点在的な配置の加圧体を設けた構成を採用する。
【００１５】
また、ベルトコンベヤに於けるヘッドプーリにより反転したリターンベルトの表面付着物を除去するクリーニング手段を設けると共に、この除去した付着物の残渣物を荷受けするようにテール側水平部が上記コンベヤのリターン側ベルトの下を横切り、上記水平部から連なって中間部が上方に延びて、この中間部から連なるヘッド部が上記ベルトコンベヤのキャリヤ側ベルトに残渣物を戻すヘッド側水平部を有する主回収コンベヤを設け、また、この主回収コンベヤのキャリヤベルトの中間部及び上記ヘッド側水平部にキャリヤ側が上記主回収コンベヤのキャリヤ側に重なって上記ベルトコンベヤに残渣物を払い出す副回収コンベヤを設け、さらに、上記主回収コンベヤと副回収コンベヤの少なくとも片方の残渣物挟持キャリヤ側ベルトの裏面側高所と低所との間で上記キャリヤ側裏面側が上方に走行するドライブ機能付きの無端状の並列二条の走行体を設け、この走行体の全長点在位置に上記リターン側ベルトの挟持力の付与押圧加圧体を設けた構成を採用することもある。
【発明の効果】
【００１６】
以上のように、この発明の含水率の高い残渣物の回収装置によれば、ベルトコンベヤのベルトに付着した付着物をクリーニング手段により除去して、この除去残渣物を回収コンベヤのテール側水平部で荷受けし、そしてこの主回収コンベヤと副回収コンベヤの両キャリヤ側ベルトで残渣物（付着物）を挟持しながら上送し、副回収コンベヤのヘッド側水平部からコンベヤのキャリヤ側に戻すようにしてあるので、コンベヤのリターン側に残渣物が落下して回収作業が必要になる不都合や残渣物でも立派な原料であり、回収できれば十分再利用できる特有な効果がある。
【００１７】
そして、主回収コンベヤと副回収コンベヤのキャリヤ側で挟持しながら上送する残渣物の水分含水率が高い場合、同方向に回転移動する各加圧体によりキャリヤ側ベルトを強く押圧して挟圧力を大幅に向上するので、含水率の高い残渣物であっても両キャリヤベルト間で流下することなく、極めて良好な挟圧を維持して安定した上送ができる特有な効果がある。
【００１８】
特に、加圧体による押圧でキャリヤ側ベルトが連続波状に屈曲することになるので、流下を抑止しようとする効果もある。
【００１９】
また、主回収コンベヤと副回収コンベヤとの少なくとも片方のリターン側ベルトの裏面側（高所と低所との間に）に設けたドライブ機能付き無端状の走行体の点在位置に設けてある加圧体でキャリヤ側ベルトを押圧するようにしてあるので、残渣物の挟持力を大幅に向上することができる。
【００２０】
このため、含水率の高い残渣物であっても両キャリヤ側ベルトで良好に挟持して、ベルト間で流下を抑止しつつ安定した上送を維持する特有の効果があり、そして加圧体での加圧にともないベルトを連続波状屈曲させて流下を阻止することもできる。
【図面の簡単な説明】
【００２１】
【図１】この発明の第１の実施形態を示す縦断正面図である。
【図２】同上の要部を示す一部切欠拡大正面図である。
【図３】同上の側面図である。
【図４】同拡大平面図である。
【図５】同拡大正面図である。
【図６】ローラユニットの作用を示す一部切欠拡大正面図である。
【図７】同上の作用を示す一部切欠拡大正面図である。
【図８】第２の実施形態を示す縦断拡大正面図である。
【発明を実施するための形態】
【００２２】
この発明の実施形態を添付図面に基づいて説明する。
この発明の第１の実施形態の図１に示すＡは、ベルトコンベヤである。
【００２３】
上記のベルトコンベヤＡは、ヘッドプーリとテールプーリ（図示省略）との間にかけ渡した無端状のベルト１と、このベルト１のキャリヤ側裏面を前後に並列して支承するキャリヤローラ２と、ベルト１のリターン側裏面を前後に並列して支承するリターンローラ３とで構成されている。
【００２４】
また、このベルトコンベヤＡのリターン側ベルト１の表面に付着している付着物（搬送物の）は、ベルトコンベヤＡのヘッドプーリの手前でクリーニング手段Ｂで除去するようにしてある。
【００２５】
上記のクリーニング手段Ｂとしては、図示の場合、円周上に複数本並設した杆材４と、この杆材４の外周中央から片端に右巻し、中央からもう片端に左巻した螺旋杆５とで掻き取り回転体６を構成し、例えばベルトコンベヤＡのヘッドプーリと回転体６のプーリとにチェーンをかけ渡した伝達機構（図示省略）を介し回転を伝達するようにするが、その他の方式（回転刷子などで）により付着物を除去することもある。
【００２６】
また、上記除去した回収付着物の残渣物は、ベルトコンベヤＡ上に主回収コンベヤＣと副回収コンベヤＤとで戻す（払い出す）ようにしてある。
【００２７】
上記の主回収コンベヤＣは、図１に示すように、テール側水平部がベルトコンベヤＡのクリーニング手段Ｂにより除去された残渣物を荷受けするように、ベルトコンベヤＡのリターン側の下を横切り、次いで上方に延びる上送部と、この上送部から連なってベルトコンベヤＡのサイドに延びるヘッド側水平部とで構成され、副回収コンベヤＤは、図１に示すように、テール部が主回収コンベヤＣのテール側途中の上側に位置して、主回収コンベヤＣのキャリヤ側上送部にキャリヤ側が重なって上方に延びる上送部と、この上送部から連なってベルトコンベヤＡのキャリヤ側に挟持残渣物（この残渣物は、主回収コンベヤＣと副回収コンベヤＤの両キャリヤ側ベルトで挟持して上送される）を払い出し、ベルトコンベヤＡ上に荷受けされるようになっている。
【００２８】
そして、主回収コンベヤＣと副回収コンベヤＤとの重なる挟持用キャリヤ側ベルトの裏面側には、ベルトの走行方向点在位置で、キャリヤ側ベルトを押圧しつつ同方向に回転移動するような円周上点在的配置の加圧体Ｅが設けてある。
【００２９】
上記の加圧体Ｅは、図１、２、３、４、５に示すように、左右のフレーム１１に円板１２の中心支軸１３を軸承し、この片側の支軸１３に設けてあるスプロケット１４にチェーン１５をかけ渡してチェーン１５をドライブ（モーターにより１つのスプロケット１４を駆動し）することで、各円板１２がドライブされ、左右一対の円板１２の周縁等間隔位置に加圧体Ｅとしてのローラ１６のセンタ軸１７を支持させて設けたが、これに限定されず、その他の構成の加圧する方式を採用してもよい。
【００３０】
そして、主回収コンベヤＣと副回収コンベヤＤの加圧体Ｅは、図６に示すように主回収コンベヤＣのキャリヤ側ベルトＣ′に二条の加圧体Ｅが当接した際、副回収コンベヤＤのキャリヤ側ベルトＤ′に一条の加圧体Ｅが当接して、良好な加圧による挟圧力を作用させるようにしてあるが、図７に示すように主回収コンベヤＣのキャリヤ側ベルトＣ′と副回収コンベヤＤのキャリヤ側ベルトＤ′とにそれぞれ一条の加圧体Ｅを当接することでも同様の作用を得ることができる。
【００３１】
また、図示のように、、主回収コンベヤＣと、副回収コンベヤＤとの上下多段の並列加圧体Ｅを上下方向に千鳥状に配列することで、キャリヤ側ベルトＣ′、Ｄ′を波状に連続した屈曲にすることができ、この屈曲によりキャリヤ側ベルトＣ′、Ｄ′による挟圧力を一層向上することができる。
【００３２】
なお、図４、５に示すように、円板１２の周縁等間隔に周縁から内方に向くＵ字状の切欠き１８を設けて、この切欠き１８にセンタ軸１７の端部外周の対向位置に設けてある切欠溝１９を落とし込みにより係合関係になるよう嵌め込むことで、センタ軸１７が不回転状態に支持できて、センタ軸１７に対しローラ１６がフリー回転し、また、切欠き１８からセンタ軸１７が脱出しないようビス止めしたストッパ板２０を設けておく。
【００３３】
図中２１は主回収コンベヤＣ及び副回収コンベヤＤのテールプーリ、２２は主回収コンベヤＣ及び副回収コンベヤＤのヘッドプーリで、このヘッドプーリ２２をドライブしてベルトを走行させるようになっている。
【００３４】
上記のように構成すると、ベルトコンベヤＡのリターン側に付着した付着物は、クリーニング手段Ｂによって除去され、除去された残渣物を主回収コンベヤＣのテール上に荷受けする。
【００３５】
この荷受けした残渣物は、前方に搬送されて、主回収コンベヤＣと副回収コンベヤＤとの重なるキャリヤ側ベルトＣ′、Ｄ′とで挟持されながら上送される。
【００３６】
このとき、加圧体Ｅによりキャリヤ側ベルトを押圧するので、挟持された残渣物の含水率が高くても流下を極力抑止して、良好な挟持を維持しつつ上送し、主回収コンベヤＣのヘッドからベルトコンベヤＡに払い出すことができる。
【００３７】
次に、この発明の第２の実施形態の含水率の高い残渣物の回収装置について説明するが、この第２の実施形態のベルトコンベヤＡ、クリーニング装置Ｂ、主回収コンベヤＣ及び副回収コンベヤＤは、第１の実施形態と同様につき詳細な説明を省略する。すなわち、第１の実施形態の定位置で回転する加圧体Ｅの無い構成に改良を付加したものである。
【００３８】
図８に示すように、主回収コンベヤＣと副回収コンベヤＤとの少なくとも片方の回収残渣物の挟持キャリヤ側ベルトＣ′、Ｄ′の裏面には、キャリヤ側ベルトＣ′、Ｄ′の低所から高所の範囲に走行するドライブ機能付きの無端状の並列二条の走行体３１を設け、この走行体３１の全長点在位置に挟持キャリヤ側のベルトＣ′、Ｄ′に挟持力を付与する押圧加圧体Ｆを設ける。
【００３９】
上記の走行体３１は、押圧加圧体Ｆを必要とする上下に片方にドライブ機能（モーターによる）付のスプロケット３２を配置して、この上下のスプロケット３２に走行体３１としての無端状のチェーン３３をかけ渡し、この左右のチェーン３３の全長点在位置に押圧加圧体Ｆとしてのローラ３４のセンタ軸３５を取付金具（図示省略）を介し不回転状態に取り付けて、センタ軸３５に対しローラ３４がフリーに回転するようになっている。
【００４０】
そして、押圧加圧体Ｆは、図示の場合、主回収コンベヤＣ側にのみ設けたが、副回収コンベヤＤとの両方に設けることもある。
【００４１】
その際、主回収コンベヤＣのみに押圧加圧体Ｆを設けた場合、押圧加圧体Ｆによる押圧力で副回収コンベヤＤのキャリヤ側が押し逃がされないよう副回収コンベヤＤのリターン側ベルトＤ′をガイドローラ３６でガイドする。
【００４２】
上記のように構成すると、ベルトコンベヤＡのリターン側に付着した付着物は、クリーニング手段Ｂによって除去され、除去された残渣物は主回収コンベヤＣのテール上に荷受けする。
【００４３】
この荷受けした残渣物は、前方に搬送されて主回収コンベヤＣと副回収コンベヤＤとの重なるキャリヤ側ベルトＣ′、Ｄ′とで挟持されながら上送される。
このとき、走行体３１の押圧加圧体Ｆとしての各ローラ３４でキャリヤ側ベルトを押圧するので、挟持された残渣物の含水率が高くても流下を極力抑止して、良好な挟持を維持しつつ上送し、主回収コンベヤＣのヘッドからベルトコンベヤＡに払い出すことができる。
【符号の説明】
【００４４】
Ａ  ベルトコンベヤ
Ｂ  クリーニング手段
Ｃ  主回収コンベヤ
Ｄ  副回収コンベヤ
Ｅ  加圧体
Ｆ  押圧加圧体
１  ベルト
２  キャリヤローラ
３  リターンローラ
４  杆材
５  螺旋杆
６  回転体
１１  フレーム
１２  円板
１３  支軸
１４  スプロケット
１５  チェーン
１６  ローラ
１７  センタ軸
１８  切欠き
１９  切欠き溝
２０  ストッパ板
３１  走行体
３２  スプロケット
３３  チェーン
３４  ローラ
３５  センタ軸
３６  ガイドローラ
【図１】
2018144966.tif 000003
【図２】
2018144966.tif 000004
【図３】
2018144966.tif 000005
【図４】
2018144966.tif 000006
【図５】
2018144966.tif 000007
【図６】
2018144966.tif 000008
【図７】
2018144966.tif 000009
【図８】
2018144966.tif 000010